(57)【要約】【課題】マット装置において、床ずれの位置や大きさや形状に対応させた、マットの凹凸の微妙な調整を可能にする。【解決手段】マット装置１０のマット１１を、小部屋１１ａが縦横に３つ以上並列するように仕切る。流体は、小部屋１１ａの底面に設けられた給排ポート１１ｂから供給される。小部屋１１ａに供給される流体の流量をコントロールボックスで調節して個別に膨張または収縮させると、細かく仕切られているため、マット１１に微妙な凹凸をつけることが出来る。流体を供給するフレキシブルホース１３ａと、マット１１との間には、弾性素材の支持材１２が挟み込まれている。これが病人の体重を支えるため、ホース１３ａが潰れることはない。支持材１２底面に溝１２ｂを設けてホース１３ａをはめ込むと、ホース１３ａがマット１１から外れるのを防止できる。ホース１３ａは支持材１２の貫通孔１２ａを通じてポート１１ｂに連結されている。【選択図】図３
2007159981.tif 000002
【特許請求の範囲】
【請求項１】
気密な小部屋に仕切られたマットと、このマットの各小部屋に流体を供給する流体供給手段と、この流体供給手段により各小部屋に供給される流体の量を調節する流量調節手段とを有するマット装置において、
前記マットを小部屋が縦横に３つ以上並列するように、マトリクス状に仕切ったことを特徴とするマット装置。
【請求項２】
上記マットには、各小部屋に対応してその底面に給排ポートが設けられ、上記流体供給手段は、ポンプと、このポンプに連結された配管とを有し、この配管はマットの各給排ポートに連結された請求項1に記載のマット装置。
【請求項３】
上記マット下に配置された配管とマットとの間には、マットの給排ポートに対応した位置に貫通孔が設けられた支持材が挟みこまれ、配管は支持材の貫通孔を通じてマットの各給排ポートに連結された請求項２に記載のマット装置。
【請求項４】
上記支持材の底面には、上記配管がはまり込む溝が形成された請求項３に記載のマット装置。
【請求項５】
上記支持材は、クッション性を有する素材からなる請求項３または４に記載のマット装置。
【請求項６】
上記流量調節手段と、上記ポンプとを同一のボックス内に収納し、このボックスに流量調節手段を操作するキーボードを設け、このボックス外面に設けられたポンプに通じる開口に、上記配管を着脱可能に連結した請求項２から５のいずれかに記載のマット装置。
【請求項７】
上記流量調節手段は、弁手段と、制御手段とからなり、前記弁手段は、流体供給手段からマットの各小部屋へと流体を供給する第一の状態と、流体供給手段からマットの各小部屋への流体の供給を遮断し、かつ各小部屋に封入された流体を小部屋外へ排出する第二の状態とが切り替え可能であり、この切り替えを前記制御手段により行う請求項１から６のいずれかに記載のマット装置。
【請求項８】
上記制御手段は、記録手段を有し、この記録手段に記録されたデータに基づき、制御手段は弁手段を制御する請求項７に記載のマット装置。
【請求項９】
上記流体供給手段の配管の中途に配管内の流体通路が配管外と連通する排出口を設け、上記弁手段は、配管内の流体通路を閉塞可能な第一の弁と、前記排出口を閉塞可能な第二の弁とからなり、
前記第一の弁は、配管内の流体通路において排出口よりもポンプ寄りに配置され、第一の弁が流体通路を閉塞しているとき第二の弁は排出口を開放し、第一の弁が流体通路を開放しているとき第二の弁が排出口を閉塞するように形成した請求項７または８に記載のマット装置。
【請求項１０】
上記第一の弁と第二の弁とは、互いに平行となるように一体に連結された板状弁体であって、第一の弁が配管内で流体通路を閉塞可能なように、第二の弁が配管外で排出口を閉塞可能なように、配管に対して回転可能に取り付けられ、
上記制御手段によりこの板状弁体を回転操作することにより、板状弁体が配管に対して垂直になるときは、第一の弁により流体通路が閉塞されるとともに第二の弁により排出口が開放され、板状弁体が配管に対して水平になるときは、第一の弁により流体通路が開放されるとともに第二の弁により排出口が閉塞される請求項９に記載のマット装置。
【請求項１１】
上記板状弁体の第一の弁または第二の弁に、ソレノイドを有するスリーブに差し込まれたプランジャの一端が連結され、上記制御手段により、ソレノイドの励磁と消磁を切り替えることでプランジャを進退操作し、それに伴い板状弁体を回転操作する請求項１０に記載のマット装置。
【発明の詳細な説明】
【技術分野】
【０００１】
この発明はマット装置、特に、床ずれの防止に好適なマット装置に関する。
【背景技術】
【０００２】
長期療養中の重篤な病人は、寝返りもままならず、ベッド上で一定の姿勢のままの寝たきり状態を強いられる。そのため、自らの体重により背中を圧迫し、血行不良を起こして、皮膚組織が壊死するかあるいは難治性の潰傷となる、いわゆる床ずれ（褥瘡）が起こり、これは病人にとって非常な苦痛であった。
【０００３】
このような床ずれを未然に防ぎ、また一旦出来たものを治癒させるには、病人に定期的に寝返りを打たせる必要があるが、このためには介護者が数時間おきに病人の寝返りを介助せねばならず、これは介護者にとって過大な負担を伴うことであった。
【０００４】
上述した病人や介護者の負担を軽減すべく、図９に示すように、一方向に並列する短冊状の気密な小部屋１１０ａに区切られたエアマット１１０と、このエアマット１１０の各小部屋１１０ａに空気を供給する空気供給手段１２０と、この空気供給手段１２０により各小部屋１１０ａに供給される空気の量を調節する空気量調節手段１３０とを有するマット装置１００が考案されている（特許文献１〜４，６参照）。
【０００５】
このエアマット１１０の側面には、各小部屋１１０ａに対応して給排ポート１１０ｂが設けられている。また、空気供給手段１２０は、例えばエアポンプ１２０ａと、末端がエアポンプ１２０ａに連結され、先端がエアマット１１０の給排ポート１１０ｂに連結されるフレキシブルホース１２０ｂとからなる。また、空気量調節手段１３０は例えば制御部１３０ａと弁１３０ｂとからなる。
そして、この制御部１３０ａがエアポンプ１２０ａの駆動及び停止と弁１３０ｂの開閉を制御することにより、フレキシブルホース１２０ｂを通じてエアマット１１０に供給される空気の量が調節され、各小部屋１１０ａが状況に応じて膨張または収縮してマット装置１００のエアマット１１０に凹凸が形成されるしくみとなっている（特許文献１〜４，６参照）。
【０００６】
このようなマット装置１００を病人の横臥するベッドに用いて、床ずれのできたあるいはできそうな体の部位に接するエアマット１１０の小部屋１１０ａを収縮させ、隣接する小部屋１１０ａよりも相対的に凹ませる。すると、当該部位がエアマット１１０から浮き上がるため、血行が回復し、早期に床ずれが治癒し、あるいは床ずれを未然に防止する。
そしてこの場合、流体の流量の調節による小部屋１１０ａの膨張や収縮は空気量調節手段１３０で行われるため、人の手で直接的に病人の寝返りを介助する場合に比べると、介護者の負担は格段に減じられる。
【０００７】
しかし、このようなマット装置１００は、エアマット１１０が一方向に並列する短冊状の小部屋１１０ａに区切られているため、小部屋１１０ａが横に並列している場合には、床ずれのできた部位を浮かせるため対応する小部屋１１０ａを凹ませると、縦方向に一様に凹んでしまう。また、小部屋１１０ａが縦に並列している場合には、同様に横方向に一様に凹んでしまう。
このように、床ずれができていない部分も、短冊状の小部屋１１０ａの凹みに対応して一様にエアマット１１０から浮き上がってしまうため、寝心地が悪く、また、床ずれの位置や大きさ、形状に応じて微妙な凹凸の調節ができない問題を抱えている。
【０００８】
また、このようなマット１１０の短冊状の小部屋１１０ａを長手方向の中程で２分割したマット装置１００も考案されている（特許文献５参照）。
しかしこれも、上記した場合と比べれば多少は改善されているものの、縦方向または横方向のいずれかは小部屋が２つにしか区切られていないため、依然として微妙な凹凸の調節ができないことには変わりがない。
【特許文献１】実開昭６１−１１５５３３号公報
【特許文献２】特開平７−１８４７４７号公報
【特許文献３】特開平８−３８５５９号公報
【特許文献４】特開平１０−３１３９８１号公報
【特許文献５】特開２０００−１８９４７２号公報
【特許文献６】特開２０００−２７９４５９号公報
【発明の開示】
【発明が解決しようとする課題】
【０００９】
そこで、この発明は、マット装置において、床ずれの位置や大きさや形状に対応させた、マットの凹凸の微妙な調整を可能にすることをその課題とする。
【課題を解決するための手段】
【００１０】
上記した課題を解決するため、この発明にかかるマット装置は、気密な小部屋に仕切られたマットと、このマットの各小部屋に流体を供給する流体供給手段と、この流体供給手段により各小部屋に供給される流体の量を調節する流量調節手段とを有する場合において、マットを小部屋が縦横に３つ以上並列するように、マトリクス状に仕切ったのである。
【００１１】
このようにマットをマトリクス状に仕切ると、上記した短冊状に仕切られた小部屋が一方向に並列する場合と比較して、小部屋が縦横に３つ以上並列しているため、床ずれの位置や大きさ、形状に対応させたマットの凹凸の微妙な調節が可能となる。
【００１２】
さらに、マットの各小部屋には、その底面に給排ポートを設ける。そして、流体供給手段は、ポンプと、このポンプに連結された配管とを有し、この配管をマット底面の各給排ポートに連結する。
このように構成すると、配管がマット下から連結されているため、マットに病人が横臥する場合の邪魔にならない。
【００１３】
さらに、マット下に配置された配管とマットとの間には、マットの給排ポートに対応した位置に貫通孔が設けられた支持材を挟みこむ。そして、配管は支持材の貫通孔を通じてマットの各給排ポートに連結する。
このように構成すると、支持材が病人の体重を受け支えるため、配管に荷重がかからず、配管が潰れるのを防止できる。そのため、小部屋への流体の供給に支障が生じることはない。
なお、この出願でいう貫通孔には、円孔、方孔等は勿論のこと、支持材が柔軟な素材からなる場合には、押し広げることにより配管が挿通可能な、上下に貫通する切り込みも含まれるものとする。
【００１４】
さらに、支持材の底面に、上記配管がはまり込む溝を形成すると、配管が溝により位置決めされているため、マット装置に外部から衝撃が与えられても、マットの給排ポートから配管が外れることが防がれる。
【００１５】
さらに、この支持材を、クッション性を有する素材から形成すると、支持材を硬質の素材から形成した場合と比較して、やわらかいため、床ずれが起こりにくく、また寝心地がよい。
【００１６】
さらに、流量調節手段と、ポンプとを同一のボックス内に収納し、このボックスに流量調節手段を操作するキーボードを設けるとマット装置がコンパクトになる。
そして、このボックス外面に設けられたポンプに通じる開口に、配管を着脱可能に連結すると、移送時には、ボックスとマット装置本体とを切り離すことができ、持ち運びが便利になる。
【００１７】
さらに具体的には、流量調節手段は、弁手段と、制御手段とから構成する。また、この弁手段は、流体供給手段からマットの各小部屋へと流体を供給する第一の状態と、流体供給手段からマットの各小部屋への流体の供給を遮断し、かつ各小部屋に封入された流体を小部屋外へ排出する第二の状態とを切り替え可能とする。そして、この切り替えを制御手段により行う。
このように構成すると、各小部屋の膨張または収縮を容易に実現することができる。
【００１８】
制御手段は記録手段を有し、この記録手段に記録されたデータに基づき、制御手段は弁手段へ制御するようにする。このように構成すると、記録手段にあらかじめ一定のリズムに従って制御手段が弁手段を制御するようなデータを記録しておき、このデータに従い、リズミカルに各小部屋を膨張収縮させることが全自動で可能となる。
【００１９】
さらに具体的には、流体供給手段の配管の中途に、配管内の流体通路が配管外と連通する排出口を設ける。また弁手段は、配管内の流体通路を閉塞可能な第一の弁と、排出口を閉塞可能な第二の弁とから構成し、第一の弁は、配管内の流体通路において排出口よりもポンプ寄りに配置する。そしてこの両弁は、第一の弁が流体通路を閉塞しているとき第二の弁は排出口を開放し、第一の弁が流体通路を開放しているとき第二の弁が排出口を閉塞するように形成する。
このように流体通路から流体を供給し、排出口から流体を排出し、それぞれの開閉を弁で行うのが構造としては最も簡単であるため好ましい。
【００２０】
さらに、第一の弁と第二の弁は、互いに平行となるように一体に連結された板状弁体とし、第一の弁が配管内で流体通路を閉塞可能なように、第二の弁が配管外で排出口を閉塞可能なように、配管に対して回転可能に取り付ける。
そして、制御手段でこの板状弁体を回転操作することにより、板状弁体が配管に対して垂直になるときは、第一の弁により流体通路が閉塞されるとともに第二の弁により排出口が開放され、板状弁体が配管に対して水平になるときは、第一の弁により流体通路が開放されるとともに第二の弁により排出口が閉塞されるように形成する。
このように構成すると、一体の板状弁体であるため、構造が簡単で製造コストが低廉である。また別々の弁体を同期させて操作する場合と比べて制御が容易であるため、誤動作も少ない。
【００２１】
さらに、板状弁体の第一の弁または第二の弁に、ソレノイドを有するスリーブに差し込まれたプランジャの一端を連結する。そして制御手段により、ソレノイドの励磁と消磁を切り替えることでプランジャを進退操作し、それに伴い板状弁体を回転操作して弁を開閉する。
このように構成すると、板状弁体の制御を電磁的手段によりおこなうため、いっそう制御が容易であり、誤動作もより少ない。
【発明の効果】
【００２２】
この発明にかかるマット装置においては、マットをマトリクス状の小部屋に仕切ることにより、病人の床ずれの位置や大きさ、形状に応じて、マットの各部位の高さを微妙に調整できる効果を得る。
【発明を実施するための最良の形態】
【００２３】
以下、図面を参照しつつこの発明の実施形態について説明する。実施形態にかかるマット装置１０は、エアマット１１と、支持材１２と、空気供給部１３と、コントロールボックス１４とから構成される。また、コントロールボックス１４には、制御部１５と、電磁弁１６と、モータ１７とが内蔵されている。
【００２４】
エアマット１１は、ナイロンタフタなどのフレキシブルで気密な素材からなり、図１（ａ）のように、縦横にそれぞれ５分割されて、２５個の気密な小部屋１１ａにマトリクス状に仕切られている。以下、説明の便宜上これらの小部屋１１ａに、図示のように、１番から２５番の番号を付す。
また、図１（ｂ）のように、エアマット１１の底面には、１番から２５番の各小部屋１１ａに対応して円筒状の給排ポート１１ｂが設けられている。このエアマット１１は、シーツのようにベッドに敷いて使用し、その上に病人が横臥する。
【００２５】
支持材１２は、発泡ウレタンフォームなどのクッション性を有する素材からなり、平面視がほぼマット１１と相似形であって、図２のように、エアマット１１底面の各給排ポート１１ｂに対応する位置に上下に貫通する貫通孔１２ａが設けられている。
また、図２（ｂ）のように、支持材１２の底面には、貫通孔１２ａを交差点として縦横に延びる溝１２ｂが設けられている。この支持材１２は、エアマット１１の下に敷かれて、エアマット１１上に横臥した病人の体重を支える。
【００２６】
空気供給部１３は、ゴムホースなどのフレキシブルホース１３ａと後述するポンプ１３ｂと、パイプ１３ｃとからなり、図３のように、２５本の独立したフレキシブルホース１３ａがそれぞれ、上記した支持材１２の溝１２ｂにはめ込まれてマット１１の各給排ポート１１ｂへと案内され、その先端は支持材１２の貫通孔１２ａを通じてマット１１の給排ポートに１１ｂ連結されている。
なお、この図においては、すべてのフレキシブルホース１３ａを支持材１２の縦方向の溝１２ｂに、一方向から３本ずつ、他方向から２本ずつはめ込んでいるが、縦横に交差する溝１２ｂへとフレキシブルホース１３ｂをはめ込むパターンは、これに限られず任意である。
【００２７】
図４のように、コントロールボックス１４上面には、電源スイッチ１４ａ、キーボード１４ｂ、モニター１４ｃ、ＣＤ−ＭＤスロット１４ｄが設けられている。図示のように、キーボード１４ｂは、マトリクス状に並ぶ１番から２５番のキーを有し、モニター１４ｃはこれに対応して、マトリクス状に１番から２５番に分割されている。ＣＤ−ＭＤスロット１４ｄには、ＣＤ（コンパクトディスク）用差込口およびＭＤ（ミニディスク）用差込口が並列して設けられている。
【００２８】
また、図５のように、コントロールボックス１４内には、エアポンプ１３ｂが内蔵されており、エアポンプ１３ｂの空気供給口には、図７に示すパイプ１３ｃの一端が連結され、パイプ１３ｃの他端はコントロールボックス１４側面に設けられた着脱口１３ｄに連結されている。図示のように、この着脱口１３ｄには、２５本のフレキシブルホース１３ａの末端がそれぞれ着脱可能に連結されている。このようにして、エアポンプ１３ｂからパイプ１３ｃおよびフレキシブルホース１３ａを通じてエアマット１１の各小部屋１１ａに空気が供給されるようになっている。
【００２９】
また、図５のように、コントロールボックス１４には、制御部１５及び上記したパイプ１３ｃ外周面に取り付けられた電磁弁１６及びモータ１７が内蔵されている。電源スイッチ１４ａをオンにすると、この制御部１５には、キーボード１４ｂや、ＣＤ−ＭＤスロット１４ｄなどから信号が入力可能となり、この信号に基づいて制御部１５はモータ１７及び電磁弁１６を制御し、モータ１７はこれに従ってエアポンプ１３ｂを駆動あるいは停止させ、電磁弁１６はこれに従って後述する開閉動作をおこなう。なお、制御部１５はメモリー部を有し、あらかじめメモリー部に記録されたデータに基づいて自動的に電磁弁１６を操作できるようにもなっている。
【００３０】
また、図４のように、キーボード１４ｂ及びモニター１４ｃの番号は、上述したエアマット１１の小部屋１１ａの番号にそれぞれ対応しており、電源スイッチ１４ａをオンにした後に、キーボード１４ｂのある番号が付されたキーを一回押すと、その番号に対応したモニター１４ｃの番号が点灯し、その番号に対応した小部屋１１ａに空気が供給される。
つぎにそのキーをもう一度押すと、モニター１４ｃの対応する番号が消灯し、対応した小部屋に封入された空気が排出される。同様にして、奇数回キーを押すと小部屋１１ａに空気が供給され、偶数回キーを押すと小部屋１１ａから空気が排出されるようになっている。
【００３１】
小部屋１１ａへの空気の供給および小部屋１１ａからの空気の排出の切り替えは、図６のような電磁弁１６により行う。図示のように、この電磁弁１６のソレノイド１６ａが消磁しているときは、エアポンプ１３ｂから供給された空気は、電磁弁１６を通過して、そのままエアマット１１の各小部屋１１ａへと供給される。
また、ソレノイド１６ａが励磁しているときは、エアポンプ１３ｂから供給された空気は電磁弁１６により遮断され、同時にエアマット１１の各小部屋１１ａに封入されていた空気は大気中１８へと排出される。
【００３２】
つまり、キーボード１４ｂのキーを偶数回押すと、コントロールボックス１４内の制御部１５から電磁弁１６のソレノイド１６ａに電流を流す制御信号が出力され、キーボード１４ｂのキーを奇数回押すと、コントロールボックス１４内の制御部１５から電磁弁１６のソレノイド１６ａに流した電流を停止する制御信号が出力されるようになっている。なお、図６中符号１９は空気の逆流を防ぐ逆止弁を示し、取り付けは任意である。
【００３３】
コントロールボックス１４内における、電磁弁１６と、電磁弁１６を取り付けたパイプ１３ｃの具体的な構造を図７に示す。図示のように、パイプ１３ｃ外面には、その中途にパイプ１３ｃ内部の空気流通路がパイプ１３ｃ外部と連通する平面視円形の排気口１３ｅと、平面視円形で内面が球面形状の嵌合孔１３ｆとが設けられている。
【００３４】
また、図示のように、電磁弁１６は、パイプ１３ｃ外面に固定されたソレノイド１６ａと、ソレノイド１６ａと一体のスリーブ１６ｂと、スリーブ１６ｂに差し込まれたプランジャ１６ｃと、スリーブ１６ｂ内にあってスリーブ１６ｂ底部とプランジャ１６ｃに挟み込まれたスプリング１６ｄと、プランジャ１６ｃの先端に一端がリンク結合されたアーム１６ｅと、アーム１６ｅの他端にリンク結合された板状弁体とからなる。
【００３５】
ここで図示のように、プランジャ１６ｃは大径部と小径部とからなり、スリーブ１６ｂのプランジャ挿通孔はプランジャの大径部よりも径が小さいため、大径部が抜け止めとなり、プランジャ１６ｃがスリーブ１６ｂから抜け落ちないようになっている。
また、スプリング１６ｄは、一端がスリーブ１６ｂ底部に当接し、他端がプランジャ１６ｃの大径部底部に当接し、その弾性により、プランジャ１６ｃをスリーブ１６ｂから押し出す向きに付勢している。
【００３６】
さらに図示のように、板状弁体は、詳しくは、ボール部１６ｆと、ボール部１６ｆからほぼ点対称に延びる平行な一対の円板状の第一の弁１６ｇと第二の弁１６ｈとからなり、アーム１６ｅの上記他端は、この第二の弁１６ｈに設けられた凸部にリンク結合されている。ここで、第一の弁１６ｇの径は、パイプ１３ｃの空気流通路の径とほぼ同じサイズに、また、第二の弁１６ｈの径は、パイプ１３ｃの排気口１３ｅの径よりやや大きいサイズにそれぞれ形成されている。また、第一の弁１６ｇは平板であって、第二の弁１６ｈは、パイプ１３ｃの外周面にフィットするように円弧状に湾曲している。
【００３７】
図示のように、第一の弁１６ｇが、パイプ１３ｃ内の空気流通路を閉塞可能なようにパイプ１３ｃ内に配置され、また第二の弁１６ｈが、パイプ１３ｃ外周面の排気口１３ｅを閉塞可能なようにパイプ１３ｃ外に配置された状態で、パイプ１３ｃの外面に設けられた内面が球面形状の嵌合孔１３ｆに、ボール部１６ｆがはまり込むことで、板状弁体はパイプ１３ｃに取り付けられている。この嵌合孔１３ｆとボール部１６ｆとのはめ合わせにより自在ジョイント（ボールジョイント）が形成される。
【００３８】
ここで、ソレノイド１６ａが消磁した状態では、図７（ａ）のように、プランジャ１６ｃはスプリング１６ｄによって付勢されているため、スリーブ１６ｂから押し出されて前進する。このため、プランジャ１６ｃにリンク結合されたアーム１６ｅは押されて前進し、アーム１６ｅにリンク結合された板状弁体は押され、第二の弁１６ｈの湾曲面がパイプ１３ｃ外周面に当接するまで図中時計回りに回転する。
【００３９】
そして、図示のように、第二の弁１６ｈがパイプ１３ｃの排気口１３ｅを閉塞し、同時に第一の弁１６ｇがパイプ１３ｃ内の空気流通路を開放する結果、図中矢印で示すように、エアポンプ１３ｂから供給された空気は、この電磁弁１６をそのまま通過し、フレキシブルホース１３ａを通じてエアマット１１の小部屋１１ａへと供給される。
【００４０】
一方、ソレノイド１６ａが励磁した状態では、図７（ｂ）のように、プランジャ１６ｃはソレノイド１６ａの電磁石作用により吸引され、スリーブ１６ｂ内部に引き込まれて後退する。このため、プランジャ１６ｃにリンク結合されたアーム１６ｅは引っ張られて後退し、アーム１６ｅに第二の弁１６ｈがリンク結合された板状弁体は引っ張られて、ボールジョイントの可動域限界であるパイプ１３ｃと垂直の位置まで図中反時計回りに回転する。
【００４１】
そして、図示のように、第二の弁１６ｈがパイプ１３ｃの排気口１３ｅを開放し、同時に第一の弁１６ｇがパイプ１３ｃ内の空気流通路を閉塞する結果、図中矢印で示すように、エアポンプ１３ｂから供給された空気は、この電磁弁１６で遮断され、それと同時に、図中矢印で示すように、エアマット１１の小部屋１１ａに封入された空気は、フレキシブルホース１３ａを通り、排気口１３ｅからコントロールボックス１４内に排出され、コントロールボックス１４の側面に設けられた、図示しない排気スリットを経て大気中へと排出される。
【００４２】
いま、図８のように、寝台２０上に、空気供給部１３のフレキシブルホース１３ａ、支持材１２、エアマット１１の順に積み重ねたこのマット装置１０を載置し、エアマット１１の上に病人３０が横臥している場合を考える。図示のように病人３０の体に床ずれ部３１が出来た場合、この部分３１に接するエアマット１１の１３番及び１４番の小部屋１１ａを収縮させて凹ませ、この部分３１を浮き上げ、血行を回復させる必要がある。
【００４３】
ここで、コントロールボックス１４に設けられたキーボード１４ｂの１番から２５番のすべてのキーが奇数回押されている状態では、モニター１４ｃの１番から２５番のすべてが点灯している。そして、エアマット１１の底面の給排ポート１１ｂに連結されたフレキシブルホース１３ａから、１番から２５番のすべての小部屋１１ａに空気が供給されるため、図１のように、すべての小部屋１１ａが膨張している。
【００４４】
この場合に、キーボード１４ｂの１３番及び１４番のキーをさらに１回押すと、図４のように、モニター１４ｃの１３番及び１４番が消灯する。そして、このようにキーを押すことにより、制御部１５に信号が入力され、制御部１５はこの信号に基づき、電磁弁１６へと制御信号を出力される。そのため、図３（ｂ）のように、１３番及び１４番の小部屋１１ａについては、ポンプ１３ｂからの空気の供給が遮断されると共に、小部屋１１ａ内に封入されていた空気も、電磁弁１６の第二の弁１６ｈが開くことで、パイプ１３ｃの排気口１３ｅから排出され、収縮してこの部分だけ凹む。
このようにして、床ずれ部３１が周囲から浮き上がることで、床ずれ部３１の圧迫状態が解消され、血行が回復するため、早期に治癒する。
【００４５】
また、このマット装置１０は、図４に示すコントロールボックス１４のＣＤ−ＭＤスロット１４ｄの差込口に、ＣＤやＭＤを差し込むと、これらに記録された音楽に対応した信号が制御部１５に入力されるが、その信号を制御部１５で一定の規則に基づいて処理するようにプログラムしてある。
【００４６】
そのため、その処理に基づいた制御信号が、電磁弁１６やモータ１７に出力されることにより、エアマット１１の各小部屋１１ａがＣＤやＭＤの音楽に対応して、例えば１番から５番、６番から１０番、１１番から１５番、１６番から２０番、２１番から２５番のそれぞれの列が独立して波打つように、各小部屋１１ａの膨張または収縮が繰り返される。これによって、病人の血行が促進され、また寝たきりによるストレスも軽減される。
【００４７】
また、上述したように、制御部１５のメモリー部にあらかじめ記録されたデータに基づいて、自動的に電磁弁１６を操作することもできる。その場合には、たとえば、風のざわめきのイメージや海の波立ちのイメージで波打つように各小部屋が膨張収縮してリズムを刻むようにすれば、病人のストレス解消になる。
【００４８】
なお、このマット装置１０は、もちろん健常者が用いても構わず、その場合にも、エアマット１１の各小部屋１１ａの膨張収縮の繰り返しにより、病人の場合と同様に、血行の促進や疲労解消、ストレス解消が図られる。
【００４９】
また、この実施形態においては、エアマット１１を一層としているが、多層としてもよく、その場合、各エアマット１１の小部屋１１ａのサイズを違えておき、これらを個別に膨張収縮させるとよい。
たとえば、大きく仕切られたエアマット１１を、床ずれ部３１に対応する小部屋１１ａを大きく凹ませて血行を回復させると共に、小さく仕切られたエアマット１１を、それぞれの小部屋１１ａを、コントロールボックス１４のＣＤ−ＭＤスロット１４ｄに差し込んだＣＤやＭＤに記録された音楽に合わせて、小刻みに膨張収縮させてストレスを軽減させるような使い方ができる。
【００５０】
また、エアマット１１の各小部屋１１ａに、空気が一定量以上供給されると、自動的に余剰供給分だけ排出される自動調節弁を取り付けておくと、制御部１５や電磁弁１６の誤動作等により空気が過剰に供給された場合にも、小部屋１１ａが破裂することを防止できるため好ましい。
【００５１】
さらに、この実施形態においては、エアマット１１にエアポンプ１３ｂにより空気を供給しているが、空気を他の流体で代替してもよく、例えば、ウォーターマットにウォーターポンプで水を供給して小部屋を膨張収縮させてもよい。
この場合には、所定の小部屋を収縮させて、小部屋から水を排出する場合に、ウォーターポンプに通じる排出路を設けるなどして、排出した水がウォーターポンプに返戻され、循環するような手段を講じておくと、水が外部に漏れだしてベッド等を濡らしたりすることがないため好ましい。
【図面の簡単な説明】
【００５２】
【図１】（ａ）はエアマットの上方斜視図、（ｂ）はその下方斜視図
【図２】（ａ）は支持材の上方斜視図、（ｂ）はその下方斜視図
【図３】（ａ）は実施形態にかかるマット装置の斜視図、（ｂ）は（ａ）のＡ−Ａ断面図
【図４】コントロールボックスの平面図
【図５】マット装置の回路図
【図６】マット装置の回路図の電磁弁部分拡大図
【図７】パイプの電磁弁取り付け部分の縦断面図
【図８】マット装置の使用状態を示す平面図
【図９】従来のマット装置の斜視図
【符号の説明】
【００５３】
１０  実施形態にかかるマット装置
１１  エアマット
１１ａ  小部屋
１１ｂ  給排ポート
１２  支持材
１２ａ  貫通孔
１２ｂ  溝
１３  空気供給部
１３ａ  フレキシブルホース
１３ｂ  ポンプ
１３ｃ  パイプ
１３ｄ  着脱口
１３ｅ  排気口
１３ｆ  嵌合孔
１４  コントロールボックス
１４ａ  電源スイッチ
１４ｂ  キーボード
１４ｃ  モニター
１４ｄ  ＣＤ−ＭＤスロット
１５  制御部
１６  電磁弁
１６ａ  ソレノイド
１６ｂ  スリーブ
１６ｃ  プランジャ
１６ｄ  スプリング
１６ｅ  アーム
１６ｆ  ボール部
１６ｇ  第一の弁
１６ｈ  第二の弁
１７  モータ
１８  大気中
１９  逆止弁
２０  寝台
３０  病人
３１  床ずれ部
１００  従来のマット装置
１１０  エアマット
１１０ａ  小部屋
１１０ｂ  給排ポート
１２０  空気供給手段
１２０ａ  エアポンプ
１２０ｂ  フレキシブルホース
１３０  空気量調節手段
１３０ａ  制御部
１３０ｂ  弁
【図１】
2007159981.tif 000003
【図２】
2007159981.tif 000004
【図３】
2007159981.tif 000005
【図４】
2007159981.tif 000006
【図５】
2007159981.tif 000007
【図６】
2007159981.tif 000008
【図７】
2007159981.tif 000009
【図８】
2007159981.tif 000010
【図９】
2007159981.tif 000011